(57)【要約】【課題】    パレット枠を置く倉庫内では、効率を考えれば同一規格のパレット枠を置くのが最適だが、異形パレットに積載された入庫荷物もあり、その荷物をパレット枠に挿入して段積み状態にする場合でも、既存のパレット枠と外形は同一規格が望ましいので、当該パレット枠の挿入口は支柱間の内幅寸法のみが広いことを要求される。且つ、入り口の内幅寸法が広いままでも座屈強度が変更できるパレット枠が求められている。【解決手段】    本願発明は、上記の技術課題を解決するために、パレット枠に立設される支柱の本体部では、断面形状が縦横の寸法が異なる長方形となる。且つ、一体となる上部取付け部及び下部の定礎部に、二種類で左右対称の形にできる目的で本体部が接合されいる支柱の位置替えによる方法で、支柱間の内幅寸法と座屈強度の変更が可能な構造のパレット枠にした。【選択図】図２
2008127097.tif 000002
【特許請求の範囲】
【請求項１】
上面が四角形の被装着体角部に立設される４本の支柱では、上部部分は、上部取付け部に支柱上部連結固定器具で、下部部分は、支柱外周側より圧着可能な支柱下部固定器具などのそれぞれ脱着可能な器具で固定されるパレット枠において、当該の支柱は、支柱側に設けられたパレット押え板図１でも示す３となる定礎部で、被装着体の四隅の上面を足場にして立設されるが、当該支柱は、本体部では断面形状が縦横の寸法が異なる長方形となり、且つ、一体となる上部取付け部及び下部の定礎部に、二種類で左右対称の形になる目的で当該本体部が接合されいるため、被装着体に立設する支柱の位置替えで、支柱間の内幅寸法と座屈強度の変更が可能な構造を特徴としたパレット枠。
【発明の詳細な説明】
【技術分野】
【０００１】    本願発明は、上面が四角形の被装着体となるパレットなどの角部に、二種類で左右対称の形にできる目的で上部取付け部と下部の定礎部に本体部が接合された４本の支柱が、立設する場所の位置替えで、支柱間の内幅寸法と座屈強度の変更が可能な構造を特徴としたパレット枠に関するものである。
【背景技術】
【０００２】    従来技術の平５−７１５０発明の名称、荷役用パレット枠と、本願発明者と同じ発明者出願の特願２００６−１５４０２３発明の名称、複数の異寸法パレットにも装着可能なパレット枠等では、何れのパレット枠も、支柱が一種類のため、立設する場所の位置替えをしても支柱間の内幅寸法もパレット枠の座屈強度も変更が不可能な為、当該のパレット枠に挿入するパレット積載荷物の幅とパレット枠段積み時荷重の選択範囲は狭く固定化されていた。
【発明の開示】
【発明が解決しようとする課題】
【０００３】    課題として、パレット枠を置く倉庫内では、効率を考えれば同一規格のパレット枠を置くのが最適だが、異形パレットに積載された入庫荷物もあり、その荷物をパレット枠に挿入して段積み状態にする場合でも、既存のパレット枠と外形は同一規格が望ましいので当該パレット枠の挿入口は支柱間の内幅寸法のみができるだけ広いことを要求されるが、要求通りに内幅寸法のみを広げれば座屈強度は低下する。それでも段積み時の許容荷重を向上させるため、必要現場での変更で、入り口の内幅寸法が広いままでも座屈強度が変更できるパレット枠が求められている。
【課題を解決する為の手段】
【０００４】    本願発明は、上記の技術課題を解決するために、パレット枠に立設される支柱の位置替えによる方法で、支柱間の内幅寸法と座屈強度の変更が可能な構造にした。その手段は以下請求項１の詳細説明の通りである。
【０００５】    本願発明の請求項１では、上記の技術課題を解決するために、図１で示すように、上面が四角形の被装着体であるパレット８などの角部に立設するために支柱１は２本、支柱２も２本の二種類となっていて、どちらも、上部部分は、上部取付け部４に支柱上部連結固定器具６で、下部部分は、支柱外周側より圧着可能な支柱下部固定器具７などのそれぞれ脱着可能な器具で固定されるパレット枠において、当該の支柱は、支柱側に設けられたパレット押え板図１でも示す３となる定礎部で、被装着体８の四隅の上面を足場にして立設されるが、当該支柱の本体部では、図５、６で示すように、断面形状が縦横の寸法が異なる長方形となる。且つ、一体となる上部取付け部４及び下部の定礎部３に、図３、４で示すように、二種類で左右対称の形にできる目的で本体部が接合されいるため、図５、６で示すように、被装着体８に立設する支柱１と支柱２の位置替えによって、支柱間の内幅寸法と座屈強度の変更が可能な構造を特徴とするパレット枠の発明で課題を解決した。
【発明の効果】
【０００６】    本願発明の請求項１によって発明されたパレット枠は、立設される支柱の位置替えによって、図５で示すように、入り口の幅広内幅と同じく奥口も幅広の内幅にできるので、パレット積載荷物１０が突き抜けるまで深く挿入可能なパレット枠となり、又、図６で示すように、奥口にある支柱の位置替えによって奥口の内幅は狭くなるので、パレット積載荷物１０の突き抜けは制約されるパレット枠となるが、図５で示す奥口も幅広のパレット枠より、図６で示す奥口は幅狭のパレット枠の方が、枠全体の断面係数が上になるから座屈強度も強化される。よって、図５で示す奥口幅広パレット枠より、図６で示す奥口幅狭パレット枠は段積み分の許容荷重を上にして対応できる構造のパレット枠となるので、支柱間の内幅寸法と座屈強度の変更が必要とされる現場で、臨機応変に、段積み分の荷重に合った対応が即時にできる効果の大きい発明である。
【発明を実施するための最良の形態】
【０００７】    本願発明の実施例として、以下に図面を参照しながら詳細に説明する。【０００８】    本願発明の請求項１のパレット枠では、図１で示すように、上面が四角形の被装着体であるパレット８の角部に立設する為、支柱１は２本、支柱２も２本の二種類となっていて、どちらも、上部部分は、上部取付け部４に支柱上部連結固定器具６で、下部部分は、支柱外周側より圧着可能な支柱下部固定器具７などのそれぞれ脱着可能な器具で固定されるパレット枠において、当該の支柱は、支柱側に設けられたパレット押え板図１でも示す３となる定礎部で、被装着体８の四隅の上面を足場にして立設されるが、当該支柱の本体部では、図５、６で示すように、断面形状が縦横の寸法が異なる長方形となる。且つ、一体となる上部取付け部４及び下部の定礎部３に、図３、４で示すように、二種類で左右対称の形にできる目的で本体部が接合されいる。【０００９】    よって、図５で示すように、入り口ではＡ位置に支柱２、Ｂ位置に支柱１として、奥口はＣ位置に支柱１、Ｄ位置に支柱２を被装着体８に立設すれば、奥口の内幅も幅広となる。しかし、立設場所を、図６で示すように、入り口ではＡ位置に支柱２、Ｂ位置に支柱１として、奥口はＣ位置に支柱２、Ｄ位置に支柱１などを被装着体８にそれぞれ位置替えすれば、奥口の内幅は狭くなるが図５の仕様よりパレット枠全体の断面係数が上がって座屈強度も強化されるから、段積み荷物に対する許容荷重を上にする変更が必要とする現場でも、即時に変更の実行ができる最良の形態のパレット枠である。
【図面の簡単な説明】
【００１０】
【図１】    本願発明の名称、被装着体に立設する支柱の位置替えで、支柱間の内幅寸法と座屈強度の変更が可能なパレット枠の組立て完了の全体斜視図。
【図２】    本願発明の請求項１に当るパレット枠にパレット積載荷物を挿入した全体斜視図。
【図３】    本願発明の支柱１の斜視図。
【図４】    本願発明の支柱２の斜視図。
【図５】    本願発明の実施例で、パレット積載荷物が突き抜け可能な入り口も奥口も同じ幅広のパレット枠、図２で示すＸ−Ｘ線の断面図。
【図６】    本願発明の実施例で、パレット積載荷物が突き抜けしない形の入り口は幅広、奥口は幅狭のパレット枠、図２で示すＸ−Ｘ線の断面図。
【図７】    従来技術の本願発明者と同じ発明者出願の特願２００６−１５４０２３発明の名称、複数の異寸法パレットにも装着可能なパレット枠の組立て完了の全体斜視図。
【図８】    従来技術の本願発明者と同じ発明者出願の特願２００６−１５４０２３発明の名称、複数の異寸法パレットにも装着可能なパレット枠部品の下部ポケット無し支柱の斜視図。
【図９】    従来技術の平５−７１５０、発明の名称、荷役用パレット枠の組立て完了の全体斜視図。
【図１０】    従来技術の平５−７１５０、発明の名称、荷役用パレット枠部品である、支柱下部固定器具斜視図。
【符号の説明】
【００１１】１    図１、２、３、５、６で示す支柱。
２    図１、２、４、５、６で示す支柱。
３    図１、２、３、４で示すパレット押え板付き定礎部。
４    図１、２、３、４で示す支柱上部取付け部。
５    図１、２、３、４で示す支柱下部補強部。
６    図１、２で示す支柱上部連結固定器具。
７    図１、２で示す支柱外周側より圧着可能な支柱下部固定器具。
８    図１、２、５、６で示す被装着体パレット。
９    図２で示す挿入パレット。
１０  図２、５、６で示す挿入パレット積載荷物。
１Ｅ  図７、８で示すパレット枠支柱。
２Ｅ  図７で示す上部連結バ−。
３Ｅ  図７、８支柱上部ポケット。
４Ｅ  図７で示す支柱下部固定器具。
５Ｅ  図７で示す被装着体パレット
１Ｎ  図９で示すパレット枠支柱。
２Ｎ  図９で示す上部連結バ−。
３Ｎ  図９支柱上部ポケット。
４Ｎ  図９、１０で示す支柱下部固定器具。
５Ｎ  図９で示す被装着体パレット。
【図１】
2008127097.tif 000003
【図２】
2008127097.tif 000004
【図３】
2008127097.tif 000005
【図４】
2008127097.tif 000006
【図５】
2008127097.tif 000007
【図６】
2008127097.tif 000008
【図７】
2008127097.tif 000009
【図８】
2008127097.tif 000010
【図９】
2008127097.tif 000011
【図１０】
2008127097.tif 000012